(57)【要約】　　　（修正有）【課題】排気を脱臭する光触媒に塵埃等が付着するのを防止し、光触媒の脱臭効果を長期にわたり維持し得る電気掃除機を提供する。【解決手段】電動送風機室６内に、電動送風機ケース２０にて囲繞された電動送風機１９を収納し、電動送風機ケース２０の吐出口２１に排気フィルター２２を配設し、排気フィルター２２の下流位置に、光触媒３４を配置すると共に、光触媒３４を励起する光源を設ける。光源としては、外部光でも紫外線ランプなどでもよい。【選択図】　図２
2004024453.tif 000002
【特許請求の範囲】
【請求項１】
電動送風機を収納する電動送風機室及び集塵室を有する掃除機本体と、前記電動送風機の排気を浄化するフィルターと、該フィルターの下流に配設される光触媒と、該光触媒を励起させる光源とを備えたことを特徴とする電気掃除機。
【請求項２】
電動送風機を収納する電動送風機室及び集塵室を有する掃除機本体と、前記電動送風機を囲繞する電動送風機ケースと、該電動送風機ケースの吐出口に配設されるフィルターと、該フィルターの下流に配設され、フィルターを通過した空気が接触する光触媒と、該光触媒を励起させる光源とを備えたことを特徴とする電気掃除機。
【請求項３】
電動送風機を収納する電動送風機室及び集塵室を有する掃除機本体と、前記電動送風機を囲繞する電動送風機ケースと、該電動送風機ケースの吐出口に配設されるフィルターと、該フィルターの下流に配設され、フィルターを通過した空気が接触する光触媒と、前記掃除機本体上面の前記光触媒に対向する位置に形成され、前記光触媒に外部光を導く透光部材とを備えたことを特徴とする電気掃除機。
【請求項４】
前記掃除機本体に電動送風機の排気を排気する排気口を形成し、前記フィルターと排気口との間に、排気を前記光触媒に導く案内体を形成したことを特徴とする請求項１から３に記載の電気掃除機。
【請求項５】
前記掃除機本体に電動送風機の排気を排気する排気口を形成し、該排気口に、活性炭フィルターを配設したことを特徴とする請求項１から３に記載の電気掃除機。
【請求項６】
前記透光部材を、凸レンズ状に形成したことを特徴とする請求項３記載の電気掃除機。
【請求項７】
前記掃除機本体背面に、掃除機本体背面を載置面に載置した状態で起立させる脚部を形成すると共に、前記透光部材を、掃除機本体前方側より掃除機本体背面側が高くなるように形成したことを特徴とする請求項３記載の電気掃除機。
【請求項８】
前記掃除機本体背面に、掃除機本体背面を載置面に載置した状態で起立させる脚部を形成すると共に、前記光触媒を、掃除機本体前方側より掃除機本体背面側が高くなるように配置したことを特徴とする請求項３記載の電気掃除機。
【請求項９】
前記掃除機本体背面の光触媒の下方位置に、コードリールを配設したことを特徴とする請求項９記載の電気掃除機。
【請求項１０】
前記集塵室に連通して光触媒を配設し、光触媒を励起する光源を設けたことを特徴とする請求項１から３に記載の電気掃除機。
【請求項１１】
前記掃除機本体の透光部材と対向する面に、マイナスイオンを発生させる物質を含有する塗装を施したことを特徴とする請求項３記載の電気掃除機。
【請求項１２】
前記光触媒を支持する支持部材を設け、該支持部材に、マイナスイオンを発生させる物質を含有する塗装を施したことを特徴とする請求項３記載の電気掃除機。
【請求項１３】
前記光触媒を支持する支持部材を設け、該支持部材を、マイナスイオンを発生させる物質を含有する材料にて形成したことを特徴とする請求項３記載の電気掃除機。
【請求項１４】
前記マイナスイオンを発生させる物質として、モナザイトとトリウムとトルマリンと希土類元素のいずれかを用いたことを特徴とする請求項１１から１３に記載の電気掃除機。
【発明の詳細な説明】
【０００１】
【発明の属する技術分野】
本発明は、電気掃除機に関し、特に、酸化チタン等の触媒機能を有する光触媒を利用することにより掃除機本体の通気経路で生じる臭気の除去及び殺菌を行える電気掃除機に関する。
【０００２】
【従来の技術】
従来、この種脱臭装置を備えた電気掃除機として、例えば、特開平９−１２２０４９号公報（Ａ４７Ｌ　９／１０）に開示されたものが知られている。この電気掃除機は、集塵室内に光触媒を配設し、この光触媒に外部光や光源からの光を照射し、光触媒を励起させて集塵室内の脱臭や殺菌を行うようになっている。
【０００３】
集塵室内に吸引された塵埃等は、集塵袋により空気と分離されるが、微細な塵埃等は、空気と共に紙パックの外部に漏れ、この漏れた塵埃等が光触媒表面に付着して光触媒の脱臭・殺菌効果を低減させたり、著しい場合には、光触媒が目詰まりを起こす問題があった。
【０００４】
【発明が解決しようとする課題】
本発明は、上記問題点に鑑みなされたもので、光触媒の脱臭効果を長期にわたり維持し得る電気掃除機を提供することを課題とする。
【０００５】
【課題を解決するための手段】
本発明の第１の手段は、電動送風機を収納する電動送風機室及び集塵室を有する掃除機本体と、前記電動送風機の排気を浄化するフィルターと、該フィルターの下流に配設される光触媒と、該光触媒を励起させる光源とを備えたことを特徴とする。
【０００６】
本発明の第２の手段は、電動送風機を収納する電動送風機室及び集塵室を有する掃除機本体と、前記電動送風機を囲繞する電動送風機ケースと、該電動送風機ケースの吐出口に配設されるフィルターと、該フィルターの下流に配設され、フィルターを通過した空気が接触する光触媒と、該光触媒を励起させる光源とを備えたことを特徴とする。
【０００７】
本発明の第３の手段は、電動送風機を収納する電動送風機室及び集塵室を有する掃除機本体と、前記電動送風機を囲繞する電動送風機ケースと、該電動送風機ケースの吐出口に配設されるフィルターと、該フィルターの下流に配設され、フィルターを通過した空気が接触する光触媒と、前記掃除機本体上面の前記光触媒に対向する位置に形成され、前記光触媒に外部光を導く透光部材とを備えたことを特徴とする。
【０００８】
上記各構成において、前記掃除機本体に電動送風機の排気を排気する排気口を形成し、前記フィルターと排気口との間に、排気を前記光触媒に導く案内体を形成することが好ましい。
【０００９】
また、前記掃除機本体に電動送風機の排気を排気する排気口を形成し、該排気口に、活性炭フィルターを配設することが好ましい。
【００１０】
さらに、前記透光部材を、凸レンズ状に形成することが好ましい。
【００１１】
また、前記掃除機本体背面に、掃除機本体背面を載置面に載置した状態で起立させる脚部を形成すると共に、前記透光部材を、掃除機本体前方側より掃除機本体背面側が高くなるように形成することが好ましい。
【００１２】
さらに、前記掃除機本体背面に、掃除機本体背面を載置面に載置した状態で起立させる脚部を形成すると共に、前記光触媒を、掃除機本体前方側より掃除機本体背面側が高くなるように配置することが好ましい。
【００１３】
また、前記掃除機本体背面の光触媒の下方位置に、コードリールを配設することが好ましい。
【００１４】
さらに、前記集塵室に連通して光触媒を配設し、光触媒を励起する光源を設けることが好ましい。
【００１５】
また、前記掃除機本体の透光部材と対向する面に、マイナスイオンを発生させる物質を含有する塗装を施すことが好ましい。
【００１６】
さらに、前記光触媒を支持する支持部材を設け、該支持部材に、マイナスイオンを発生させる物質を含有する塗装を施すことが好ましい。
【００１７】
また、前記光触媒を支持する支持部材を設け、該支持部材を、マイナスイオンを発生させる物質を含有する材料にて形成することが好ましい。
【００１８】
前記マイナスイオンを発生させる物質として、モナザイトとトリウムとトルマリンと希土類元素のいずれかを用いることが好ましい。
【００１９】
【発明の実施の形態】
本発明の実施の形態を図１から図７に基づいて以下に詳述する。図１は掃除機本体の外観斜視図、図２は掃除機本体の断面図、図３は図２とは異なる方向の掃除機本体の断面図、図４は排気部分の構成を示す分解斜視図、図５は掃除機本体からホイールキャップを取り外した状態の掃除機本体の側面図、図６はカバー体及び集塵蓋を取り外した状態の掃除機本体の上面図、図７は電気掃除機の収納状態を示す側面図である。
【００２０】
１は下ケース２、上ケース３及び上ケース３の後方上部を覆うカバー体４からなる掃除機本体で、前方に上方を開口した集塵室５を形成すると共に、後方には電動送風機室６と電動送風機室６のさらに後方にコードリース室７を形成している。８は前記集塵室５の上面開口を開閉自在に閉塞する集塵蓋で、前記掃除機本体１に上下方向に揺動自在に枢支されている。
【００２１】
９は前記掃除機本体１前部に形成されるホース接続口で、図７に示すごとく、ホース１０の一端が着脱自在に接続され、該ホース１０他端に延長パイプ１１の一端が着脱自在に接続され、該延長パイプ１１の他端に床用吸込具１２が着脱自在に接続される。
【００２２】
１３は前記集塵室５内に着脱自在に収納される集塵袋で、集塵室５内に装着した状態で、台紙１４に形成した吸塵孔１５を前記ホース接続口９に連通するようになっている。
【００２３】
１６は前記集塵室５と電動送風機室６とを区画する隔壁で、前記集塵室５と電動送風機室６とを連通する連通口１７が形成されており、該連通口１７の集塵室５側にフィルター１８が着脱自在に装着されている。
【００２４】
１９は前記電動送風機室６内に収納される電動送風機で、吸気口１９ａが前記連通口１８を介して集塵室５に連通している。２０は前記電動送風機１９を囲繞する合成樹脂製の電動送風機ケースで、前記掃除機本体１の底面側に吐出口２１を形成しており、該吐出口２１に排気フィルター２２が装着されている。
【００２５】
２３は前記掃除機本体１後方両側に形成された排気口で、該排気口２３周縁に掃除機本体１外側に向かって環状のリブ２４が形成され、該リブ２４外周に後車輪２５が回動自在に支持されている。２６は前記掃除機本体１の排気口２３を覆うように掃除機本体１外側から装着される排気枠となるホイールカバーで、該ホイールカバー２６を装着することにより後車輪２５の抜け止めを行うようになっている。
【００２６】
２７はマイナスイオンを発生させるマイナスイオン発生体で、前記ホイールカバー２６を掃除機本体１に装着することにより、マイナスイオン発生体２７の掃除機本体１側に位置する活性炭を有する消臭フィルター２８と共に、掃除機本体１の排気口２３とホイールカバー２６との間に挟持されるようになっている。前記マイナスイオン発生体２７は、多数の孔を有する通気性を有する薄板状の基材の表面に、天然放射性物質であるモナザイトを含有する塗料を塗装している。この塗料には、モナザイト以外に、ＳｉＯ２、Ａｌ２Ｏ３、Ｆｅ２Ｏ３、ＭｇＯ、Ｎａ２Ｏ、ＴｉＯ２等の材料を加えている。前記マイナスイオン発生体２７からは、モナザイトから放射される放射線と前記材料等からの金属イオンと空気中の水分とが反応しマイナスイオンが常時発生する。
【００２７】
前記マイナスイオン発生体２７の基材は、本実施の形態では、塗装を１６０度程度で乾燥させるために耐熱性を有する鉄やアルミニウムなどの金属により形成しているが、低温で乾燥させる場合などには、必要に応じてセラミックや紙などの適宜材料から選択してもよい。
【００２８】
２９は前記電動送風機ケースの吐出口２１と排気口２３との間に、前記掃除機本体１の下ケース２から上方に向かって立設された案内体となる案内壁で、前記吐出口２１からの排気を電動送風機室６上方に配設される後述の光触媒３４に向かって案内するようになっている。
【００２９】
３０は前記コードリール室７内に配設されるコードリールで、回転軸３１を掃除機本体１の前後方向に向けて枢支している。
【００３０】
３２は前記集塵室６上方の上ケース３とカバー体４との間に形成される光触媒収納室で、前記上ケース３が構成する光触媒収納室３２の底面部分が多数の通気孔３３を有する格子状に形成されている。３４は前記光触媒収納室３２に収納される光触媒で、本発明の実施の形態では、ハニカム状に形成された基材表面に、酸化チタン等の光触媒機能を有する物質によって光触媒層を形成したものを用いている。前記光触媒３４は、光触媒収納室３２底面から立設した複数の支持リブ３５により掃除機本体１後方側が高くなるように支持されている。
【００３１】
前記カバー体４は光触媒収納室３２の上方位置が開口しており、この上方開口を、外部光を透過させる透明または半透明の材料からなる透光部材３６により閉塞している。前記透光部材３６を通して外部光を光触媒３４に導き、外部光により光触媒３４を励起させており、本実施の形態では、外部光を光触媒３４を励起する光源としている。前記透光部材３６は光触媒３４と同様に、掃除機本体１後方側が高くなるように形成されている。前記透光部材３６は、本実施の形態では、透明なＡＢＳ等の合成樹脂を用いているが、より紫外線を透過しやすいアクリルなどの合成樹脂、あるいはガラスなどを用いてもよい。
【００３２】
３７は前記掃除機本体１の背面に形成された支持脚で、図７に示すごとく、掃除機本体１背面を床面等に載置した状態で掃除機本体１を起立保持するようになっている。前記掃除機本体１の下面には、掃除機本体１背面を接地して起立保持した状態で、延長パイプ１１を係止するための係止部３８が形成されている。
【００３３】
而して、吸込具本体１２から延長パイプ１１及びホース１０を介して空気と共に掃除機本体１に吸引された塵埃等は、集塵室５内に装着される集塵袋１３により空気と分離され、塵埃等は集塵袋１３に蓄積され、空気はフィルタ１７を介して電動送風機１９に吸引され、電動送風機ケース２０の吐出口２１に装着された排気フィルター２２により濾過されて電動送風機室６内に排気される。
【００３４】
そして、吐出口２１からの排気は、案内壁２９により電動送風機室６内を上方に向かって案内され、通気孔３３を通過して光触媒収納室３２内の光触媒３４に接触し、光触媒３４の脱臭・殺菌効果により浄化される。浄化された排気は、案内壁２９の外側を通過し、脱臭フィルター２８によりさらに脱臭されて排気口２３から掃除機本体１の外部に排気される。
【００３５】
光触媒３４は排気フィルター２２の下流側に配置しているので、光触媒３４の表面にごみ等が付着することはなく、従って、ごみ等の付着により光触媒３４の脱臭・殺菌効果が低下することはなく、当初の性能を長期にわたり維持することができる。
【００３６】
排気口２３からの排気には、マイナスイオン発生体２７から発生するマイナスイオンが含まれており、排気によってマイナスイオンを部屋内に拡散させる。
【００３７】
また、電動送風機１９の騒音は、電動送風機ケース２０、案内壁２９およびマイナスイオン発生体２７により遮音され、排気口２３から外部に漏れる騒音が低減される。
【００３８】
電気掃除機の収納時には、図７に示すごとく、掃除機本体１背面の脚部３７を載置面に接地し、掃除機本体１のホース接続口９にホース１０及び延長パイプ１１を介して床用吸込具１２を接続した状態で、掃除機本体１底面の係止部３８に延長パイプ１１を係止する。
【００３９】
この収納状態においても、マイナスイオン発生体２７からマイナスイオンが発生し、ホイールカバー２６を介して部屋内に放出される。マイナスイオン発生体２７は、排気口２３に装着され、ホイールカバー２６の開口部から掃除機本体１の外部に臨んでいるので、マイナスイオン発生体２７から放出されたマイナスイオンが掃除機本体１外部に効率よく放出される。
【００４０】
マイナスイオン発生体２７は、排気フィルター２２の下流側に配設されているので、表面にごみ等が付着することはなく、従って、ごみ等の付着によってマイナスイオンの放出が妨げられることがなく、当初の性能を長期にわたり維持することができる。
【００４１】
光触媒３４及び透光部材３６は、その上面が掃除機本体１背面側が高くなるように配置されているので、図７に示すように掃除機本体１背面を接地した電気掃除機の収納状態においても、部屋の窓から入る外部光を効率よく受けて脱臭・殺菌能力を維持することができる。また、光触媒３４は、掃除機本体１背面側が高くなるように配置し、掃除機本体１背面側にコードリール３０を配置しているので、光触媒３４をコードリール３０を邪魔にすることなく配置することができ、光触媒３４を略水平におく場合に較べ、コードリール３０を小型化したり、掃除機本体を大型化する必要がない。
【００４２】
また、上記第１の実施の形態においては、透光部材３６を略全体に亘り略均一な肉厚に形成したが、図８及び図９に示す第２の実施の形態のごとく、透光部材３６の中央部分が肉厚となる凸レンズ状に形成してもよい。この構成では、より効率よく外部光を光触媒に導くことができ、より脱臭・殺菌能力を高い状態に維持することができる。
【００４３】
図１０から図１２は、本発明の第３の実施の形態を示す。尚、第１の実施の形態と同一部品は同一符号を付し、説明を省略する。
【００４４】
３９は前記集塵蓋８に形成される第２光触媒収納室で、底面部分が多数の通気孔４０を有する格子状に形成され、集塵室５内に連通している。４１は前記第２光触媒収納室３９に収納される光触媒で、前記光触媒収納室３２に収納される光触媒３４と同様に、ハニカム状に形成された基材表面に、酸化チタン等の光触媒機能を有する物質によって光触媒層を形成したものを用いている。前記光触媒４１は、第２光触媒収納室３９底面から立設した複数の支持リブ４２により光触媒収納室３４内の光触媒３４と同様に掃除機本体１後方側が高くなるように支持されている。前記集塵蓋８は第２光触媒収納室３９の上方位置が開口しており、この上方開口を、外部光を通過させる透明または半透明の材料からなる透光部材４３により気密に閉塞している。前記透光部材４３は光触媒４１と同様に、掃除機本体１後方側が高くなるように形成されている。前記透光部材４３は、本実施の形態では、前記光触媒収納室３２の透光部材３６と同様に、透明なＡＢＳ等の合成樹脂を用いているが、より紫外線を透過しやすいアクリルなどの合成樹脂、あるいはガラスなどを用いてもよい。
【００４５】
本第３の実施の形態においては、上述した第１の実施の形態の作用効果に加え、第２光触媒収納室３９に収納される光触媒４１により、集塵室５内の空気を脱臭することができる。第２光触媒収納室３９内の光触媒４１及び透光部材４３は、掃除機本体１後方側が高くなるように配置されているので、電気掃除機の収納状態においても、部屋の窓から入る外部光を効率よく受けて脱臭・殺菌作用を維持することができる。従って、電気掃除機の運転停止状態においても、外部光により脱臭・殺菌作用を維持し、集塵室５内に蓄積された塵埃等から発生する悪臭を脱臭し、掃除の際の排気中に含まれる悪臭を抑制することができる。
【００４６】
図１３から図１５は第４の実施の形態で、第１の実施の形態と同一部品は同一符号を付して説明を省略する。４４は前記光触媒収納室３２の透光部材３６と対向する底面を覆うように配設されるマイナスイオン発生体で、該マイナスイオン発生体４４は、多数の孔を有する通気性を有する薄板状の基材の表面に、天然放射性物質であるモナザイトと前記材料を含有する塗料を塗装している。このマイナスイオン発生体４４からは、モナザイトから放射される放射線と前記材料等からの金属イオンと空気中の水分とが反応しマイナスイオンが発生する。４５は前記マイナスイオン発生体４４の基材を切り起こすことにより形成される支持片で、この支持片４５により光触媒３４を支持しており、マイナスイオン発生体４４により光触媒３４の支持部材を構成している。４６は前記マイナスイオン発生体４４に形成した連通孔で、前記光触媒収納室３２底面の通気孔３３と合致する位置、形状に形成され、連通孔４５及び通気孔３３を介して電動送風機室６と光触媒収納室３２とを連通している。
【００４７】
前記マイナスイオン発生体４４の基材は、本実施の形態では、塗装を１６０度程度で乾燥させるために耐熱性を有するアルミニウムや鉄などの金属により形成しているが、必要に応じてセラミックや紙などの適宜材料から選択してもよい。
【００４８】
上記実施の形態では、電動送風機１９の排気は、光触媒収納室３２の底面の通気孔３３及びマイナスイオン発生体４４の連通孔４６を介して光触媒３４に接触し、光触媒３４の脱臭・殺菌効果により浄化される。浄化された排気は、マイナスイオン発生体４４から発生するマイナスイオンを含み、部屋にマイナスイオンを拡散する。
【００４９】
本実施の形態では、光触媒収納室３２底面にマイナスイオン発生体４４を配設することにより、光触媒収納室３２底面が紫外線に触れるのを防止することができ、光触媒収納室３２底面が紫外線により劣化するのを防止できる。尚、掃除機本体１表面は、外観を向上させるため、塗装などを施すことにより、外部光に含まれる紫外線による劣化を抑制している。光触媒収納室３２底面にマイナスイオン発生体４４を配設することにより、排気中にマイナスイオンを含有させることのできるマイナスイオン発生体４３を利用して、外観に触れない光触媒収納室３２への塗装などを不要とすることができる。
【００５０】
また、マイナスイオン発生体４４をなくし、光触媒収納室３２底面に、モナザイトと前記材料を含有する塗装を施してもよい。この構成においても、排気中にマイナスイオンを含有させることができ、塗装により光触媒収納室３２底面が紫外線により劣化するのを防止することができる。
【００５１】
上記第４の実施の形態においては、マイナスイオン発生体４４として、基材表面にモナザイトと前記材料を含有する塗装を施したものを用いたが、塗装をなくし、モナザイトと前記材料を含有する合成樹脂等の材料にて任意の形状に形成したものをマイナスイオン発生体（支持部材）としてもよい。この構成においても、排気中にマイナスイオンを含有させることができ、マイナスイオン発生体により光触媒収納室３２底面が紫外線により劣化するのを防止することができる。尚、マイナスイオン発生体が紫外線により劣化した場合には、マイナスイオン発生体のみを交換すればよく、上ケース３全体を交換するのに比較し、容易に、安価に交換することができる。また、マイナスイオン発生体を、モナザイトと前記材料を含有し、紫外線に対する耐劣化性を有する材料にて任意の形状に形成してもよい。この構成であれば、紫外線による劣化を抑制でき、マイナスイオン発生体の交換を不要とすることができる。
【００５２】
また、マイナスイオン発生体４３として、モナザイトと前記材料を含有したものを用いたが、モナザイトだけでもよい。この場合においても、モナザイトから放射された放射線が空気中の分子と衝突してマイナスイオンを常時発生させる。
【００５３】
モナザイトは、放射性物質としてトリウムを含有するため放射性を有するものであるため、モナザイトに換えて、トリウムを含有する他の鉱物材料や、抽出したトリウムを用いてもよい。また、マイナスイオンを常時放出すると言われるトルマリンや希土類元素を含有する鉱石や材料を用いてもよい。
【００５４】
上記各実施の形態においては、光触媒３４、４１を励起するための光源として外部光を用い、外部光を光触媒３４、４１に導くために、透光部材３６、４２を設けたが、光源として紫外線ランプなどを用い、電動送風機１９への通電時に紫外線ランプなどを点灯させるようにしてもよい。
【００５５】
【発明の効果】
本発明の請求項１の構成によれば、光触媒を排気フィルターの下流に配置したので、光触媒に塵埃等が付着して目詰まり等をすることはなく、脱臭効果を長期にわたって維持することができる等の効果を奏する。
【００５６】
本発明の請求項２の構成によれば、光触媒を排気フィルターの下流に配置したので、光触媒に塵埃等が付着して目詰まり等をすることはなく、脱臭効果を長期にわたって維持することができる等の効果を奏する。
【００５７】
本発明の請求項３の構成によれば、光触媒を排気フィルターの下流に配置したので、光触媒に塵埃等が付着して目詰まり等をすることはなく、脱臭効果を長期にわたって維持することができると共に、光触媒を励起する光源を外部光とすることにより、電気掃除機の不使用状態においても脱臭効果を得ることができる等の効果を奏する。
【００５８】
本発明の請求項４の構成によれば、フィルターと排気口との間に、排気を光触媒に導く案内体を形成しているので、多量の排気を効率よく光触媒に導くことができ、脱臭効率を向上することができる等の効果を奏する。
【００５９】
本発明の請求項５の構成によれば、排気口に活性炭を有するフィルターを配置したので、一層脱臭効率を向上することができる等の効果を奏する。
【００６０】
本発明の請求項６の構成によれば、光触媒に外部光を導く透光部材を凸レンズ状に形成したので、外部光を光触媒に一層効率よく導くことができ、脱臭機能を良好な状態に維持することができる等の効果を奏する。
【００６１】
本発明の請求項７の構成によれば、透光部材を掃除機本体前方側より掃除機本体背面側が高くなるように配置しているので、電気掃除機の収納状態においても、透光部材によって光触媒に効率よく外部光を導くことができ、脱臭機能を良好な状態に維持することができる等の効果を奏する。
【００６２】
本発明の請求項８の構成によれば、光触媒を掃除機本体前方側より掃除機本体背面側が高くなるように配置しているので、電気掃除機の収納状態においても、光触媒が外部光を効率よく受けることができ、脱臭機能を良好な状態に維持することができる等の効果を奏する。
【００６３】
本発明の請求項９の構成によれば、光触媒の掃除機本体背面側の下方位置にコードリールを配置したので、コードリールを邪魔にすることなく光触媒を配置することができ、光触媒を略水平に配置する場合に比較し、コードリールを小型化したり、掃除機本体を大型化する必要がなくなる等の効果を奏する。
【００６４】
本発明の請求項１０の構成によれば、集塵室内を脱臭することができ、掃除の際に、排気に含まれる悪臭を低減することができる等の効果を奏する。
【００６５】
本発明の請求項１１の構成によれば、掃除機本体の透光部材と対向する面に、マイナスイオンを発生させる物質を含有する塗装を施したので、排気中にマイナスイオンを含有させることができると共に、マイナスイオンを発生させる塗装により、掃除機本体が透光部材を透過する紫外線により劣化するのを抑制することができる等の効果を奏する。
【００６６】
本発明の請求項１２の構成によれば、光触媒を支持する支持部材に、マイナスイオンを発生させる物質を含有する塗装を施したので、排気中にマイナスイオンを含有させることができると共に、支持部材によって、掃除機本体が透光部材を透過する紫外線により劣化するのを抑制することができる等の効果を奏する。
【００６７】
本発明の請求項１３の構成によれば、光触媒を支持する支持部材を、マイナスイオンを発生させる物質を含有する材料にて形成したので、排気中にマイナスイオンを含有させることができると共に、支持部材によって、掃除機本体が透光部材を透過する紫外線により劣化するのを抑制することができる等の効果を奏する。
【００６８】
本発明の請求項１４の構成によれば、マイナスイオンを発生させる物質として、モナザイトとトリウムとトルマリンと希土類元素のいずれかを用いたので、常時マイナスイオンを発生させることができ、常時効率よく部屋にマイナスイオンを放出することができる等の効果を奏する。
【図面の簡単な説明】
【図１】本発明の一実施の形態を示す掃除機本体の外観斜視図である。
【図２】同掃除機本体の断面図である。
【図３】同図２とは異なる方向の掃除機本体の断面図である。
【図４】同掃除機本体の排気部分の構成を説明する分解斜視図である。
【図５】同掃除機本体からホイールキャップを取り外した状態の掃除機本体の側面図である。
【図６】同カバー体及び集塵蓋を取り外した状態の掃除機本体の上面図である。
【図７】同掃除機本体の収納状態を示す側面図である。
【図８】本発明の第２の実施の形態の掃除機本体の断面図である。
【図９】同図８とは異なる方向の断面図である。
【図１０】本発明の第３の実施の形態の掃除機本体の上面図である。
【図１１】同掃除機本体の断面図である。
【図１２】同図１１とは異なる方向の断面図である。
【図１３】本発明の第４の実施の形態の掃除機本体の断面図である。
【図１４】同要部拡大断面図である。
【図１５】同マイナスイオン発生体を装着した状態の上ケースの上面図である。
【符号の説明】
１　　　　　掃除機本体
５　　　　　集塵室
６　　　　　電動送風機室
８　　　　　集塵蓋
１９　　　　　電動送風機
２０　　　　　電動送風機ケース
２１　　　　　吐出口
２２　　　　　排気フィルター
２３　　　　　排気口
３２　　　　　光触媒収納室
３４　　　　　光触媒
３６　　　　　透光部材
３９　　　　　第２光触媒収納室
４１　　　　　光触媒
４２　　　　　透光部材
４３　　　　　マイナスイオン発生体
【図１】
2004024453.tif 000003
【図２】
2004024453.tif 000004
【図３】
2004024453.tif 000005
【図４】
2004024453.tif 000006
【図５】
2004024453.tif 000007
【図６】
2004024453.tif 000008
【図７】
2004024453.tif 000009
【図８】
2004024453.tif 000010
【図９】
2004024453.tif 000011
【図１０】
2004024453.tif 000012
【図１１】
2004024453.tif 000013
【図１２】
2004024453.tif 000014
【図１３】
2004024453.tif 000015
【図１４】
2004024453.tif 000016
【図１５】
2004024453.tif 000017